(57)【要約】  本発明は、衛生防護用呼吸マスクに関する。さらに詳細には、本発明は、口鼻用面体（１０）、使用者の顔面（１）に、その口鼻用面体（１０）が位置するように使用される半可撓性舌片要素（６）、及び少なくとも部分的にマスク（２）内に取り外し可能に位置する衛生防護手段（４）を含む、生理学的防護をもたらす顔面呼吸マスク（２）に関する。前記の取り外し可能な防護手段（４）は、（ｉ）衛生防護をもたらす第一部分（４ａ）と、（ｉｉ）マスク（２）内に該衛生防護手段（４）を保持する第二部分（４ｂ）とを含み、当該第二部分（４ｂ）は、前記半可撓性舌片要素（６）又は面体（１０）と伸縮自在に協働するものである。【選択図】図１
2006528042.tif 000002
【特許請求の範囲】
【請求項１】
特に航空機運航乗務員のための、生理学的な防護をもたらす顔面呼吸マスクであって、
呼吸ガス源（５）に連結されるように設けられた口鼻用のフェイスピース（１０）と、
対象者（１）の顔面（Ｐ）に、前記口鼻用のフェイスピース（１０）が位置するように設計された端縁（１１）を有する半可撓性舌片要素（６）と、
少なくとも部分的にマスク（２）内に取り外し可能に位置し、且つ、衛生防護をもたらす第一部分（４ａ、４ｃ、４ｄ）と、前記マスク（２）内に前記衛生防護手段（４）を保持する第二部分（４ｂ、４ｂ’）と、を有する衛生防護手段（４）と、
を有し、
前記第二部分（４ｂ、４ｂ’）は、前記半可撓性舌片要素（６）又は前記フェイスピース（１０）と伸縮自在に協働するものである顔面呼吸マスク。
【請求項２】
前記衛生防護手段（４）の前記第一部分（４ａ、４ｃ、４ｄ）及び前記第二（４ｂ、４ｂ’）部分は、異なる構成要素を含む請求項１に記載の顔面呼吸マスク。
【請求項３】
前記第二部分（４ｂ、４ｂ’）は、前記半可撓性舌片要素（６）の少なくとも内側部分と接している請求項１又は２に記載の顔面呼吸マスク。
【請求項４】
薄い舌片要素（４ｃ、４ｄ）は、前記半可撓性舌片要素（６）の端縁（１１）を超えて数ミリメートル伸びるように、少なくとも所定領域内で第二部分（４ｂ、４ｂ’）を伸長したものである請求項１から３のいずれかに記載の顔面呼吸マスク。
【請求項５】
薄い舌片要素（４ｃ、４ｄ）が、前記半可撓性舌片要素（６）の少なくとも外側部分を超えて伸長される請求項４に記載の顔面呼吸マスク。
【請求項６】
前記衛生防護手段（４）の前記第一部分（４ａ）は、呼吸ガスを通過させるフィルターを有する請求項１から５いずれかに記載の顔面呼吸マスク。
【請求項７】
前記第一部分（４ａ）は、少なくとも部分的に対象者から何らかの感染に対してフィルターをかけるものである請求項６記載の顔面呼吸マスク。
【請求項８】
前記第一部分（４ａ）は、前記衛生防護手段（４）中の圧力の減少を抑制するために、波型形状を有している請求項１から７いずれかに記載の顔面呼吸マスク。
【請求項９】
波型形状が、前記衛生防護手段（４）の略中心領域に実質的に集まる波型形状に対応して、前記マスク（２）からの前記衛生防護手段（４）の抜き取りを容易にするものである請求項８に記載の顔面呼吸マスク。
【請求項１０】
前記衛生防護手段（４）に接続されたコード（７）を有し、前記マスク（２）からの前記衛生防護手段（４）の抜き取りを容易にするものである請求項１から９いずれかに記載の顔面呼吸マスク。
【請求項１１】
前記第二部分（４ｂ、４ｂ’）は、シリコーンからなる請求項１から１０いずれかに記載の顔面呼吸マスク。
【請求項１２】
前記衛生防護手段（４）の前記第一部分（４ｃ、４ｄ）は、前記衛生防護手段（４）がない場合に、マスク（２）が一旦顔面（Ｐ）の定位置に来れば顔面（Ｐ）と接触することになる、前記半可撓性舌片要素（６）の領域（１１）を覆うものである請求項１記載の顔面呼吸マスク。
【請求項１３】
前記第二部分（４ｂ’）が、半可撓性舌片要素を把持する弾性糸（１３）を有する請求項１から１２いずれかに記載の顔面呼吸マスク。
【請求項１４】
可撓性構造が、衛生防護手段と、半可撓性舌片要素（６）の内側部分との間に設置され、且つ、後者を超えて伸びている請求項１から１３いずれかに記載の顔面呼吸マスク。
【請求項１５】
可撓性構造が、前記衛生防護手段（４）の外側、前記半可撓性舌片要素（６）の内側に設置され、且つ、後者を超えて伸びている請求項１から１４いずれかに記載の顔面呼吸マスク。
【請求項１６】
半可撓性舌片要素（６）の外側に配置され、半可撓性舌片要素（６）と衛生防護手段（４）と、の間を封止する構造部分を有する部分（４ｂ’）と、
前記衛生防護手段（４）がない場合に、マスク（２）が一旦顔面（Ｐ）の定位置に来れば顔面（Ｐ）と接触することになる、半可撓性舌片要素（６）の外側領域（１１）全体にわたって配置される別の部分（４ｃ）と、
マスク（２）が着用される際にマスクの内側の呼吸ガスの圧力（ＰＡ）の効果によって顔面に押圧されて、防護手段（４）と顔面（Ｐ）との間を封止するように設けられたさらに別の部分（４ｄ）と、
を有する請求項１から１５いずれかに記載の顔面呼吸マスク。
【請求項１７】
構造部分が、半可撓性舌片要素（６）に対して機械的圧力（ＰＭ）を及ぼし、その値は呼吸ガスの最大圧力（ＰＡ）の最大値よりも大きく、マウス（２）の内側に行き渡ることができる請求項１６記載の顔面呼吸マスク。
【請求項１８】
三つの部分（４ｂ’、４ｃ及び４ｄ）が、単層の弾性膜によって形成される請求項１６又は１７に記載の顔面呼吸マスク。
【請求項１９】
構造部分が弾性糸（１３）を有する請求項１６又は１７に記載の顔面呼吸マスク。
【発明の詳細な説明】
【技術分野】
【０００１】
本発明は、衛生防護用呼吸マスクに関する。
【０００２】
さらに詳細には、本発明は、特に航空機の運航乗務員のための、生理学的防護をもたらす顔面呼吸マスクに関する。
【背景技術】
【０００３】
本発明は、例えば、民間飛行機のパイロットによって使用される、特に低酸素に功を奏する防護用呼吸マスクに関する。民間飛行機のパイロットのための防護用マスクは、飛行機の一部であり、特に試験又はマスクの防護目的の使用のために、数名のパイロットによって順に使用されるものである。そのため、パイロットにある程度の生理的不快感が引き起こされること、そして何らかの感染の危険性を免れないことは理解されるはずである。
【発明の開示】
【発明が解決しようとする課題】
【０００４】
本発明の目的は、前記の欠点の少なくともいくつかを克服することにある。
【課題を解決するための手段】
【０００５】
この目的を解決するために、本発明では、特に航空機運航乗務員のための、生理学的防護をもたらす顔面呼吸マスクが提案される。この顔面呼吸マスクは、呼吸ガス源に連結されるように設計された口鼻用フェイスピースと、対象者の顔面に、その口鼻用フェイスピースが位置するように設計された端縁を有する半可撓性舌片要素と、少なくとも部分的にマスク内に取り外し可能に位置し、且つ、衛生防護をもたらす第一部分と、マスク内に当前記衛生防護手段を保持する第二部分と、を有する衛生防護手段と、からなるものであり、前記第二部分は、前記半可撓性舌片要素又はフェイスピースと伸縮自在に協働するものである。
【発明の効果】
【０００６】
衛生防護手段は取り外し可能であり、従って継続使用の間に、容易に交換することができる。これは、半可撓性舌片要素、又はフェイスピースと、伸縮自在に協働する第二部分によって特に可能となるものである。この伸縮自在の協働が、マスクへの衛生防護手段の取り付けと、マスクからのその取り外しを容易にするという事実に加えて、必要に応じてそれを、衛生防護手段と半可撓性舌片要素又はフェイスピースとの間に、ある程度の封止密閉性をもたらすために、使用することができる。
【発明を実施するための最良の形態】
【０００７】
本発明の他の特徴、目的及び利点は、数多くの実施態様の記載の読解から明らかになるであろう。後になって、必要に応じて個々に、別々の特許保護が求められるかもしれないが、本発明の実施態様によれば、以下の規定の一つ及び／又はその他のものが必要に応じて適用され得る：
衛生防護手段の第一及び第二部分は、それぞれ異なる構成要素を含み；
第二部分は、半可撓性舌片要素の少なくとも内側部分と接触しており；
薄い舌片要素は、半可撓性舌片要素の自由端を超えて数ミリメートル伸びるように、少なくとも所定領域内で第二部分を伸長したものであり；
薄い舌片要素は、半可撓性舌片要素の少なくとも外側部分を超えて伸長され；
衛生防護手段の第一部分は、呼吸ガスを通過させるフィルターを備え；
第一部分は少なくとも部分的に対象者から何らかの感染に対してフィルターをかけるものであり；
衛生防護手段の中の圧力の減少を抑制するために、第一部分は波型形状を有しており；
波型形状は、衛生防護手段の略中心領域に実質的に集まる波型形状に対応して、マスクからの衛生防護手段の抜き取りを容易にするものであり；
マスクは、衛生防護手段の抜き取りを容易にするために、衛生防護手段に接続されたコードを有しており；
第二部分はシリコーンで作られており；
衛生防護手段の第一部分は、衛生防護手段がない場合に、マスクが一旦顔面の定位置に来れば顔面と接触することになる、半可撓性舌片要素の領域を覆うものであり；
第二部分は、半可撓性舌片要素を把持する弾性糸を有しており；
可撓性構造は、衛生防護手段と、半可撓性舌片要素の内側部分との間に設置され、且つ後者を超えて伸びており；
可撓性構造は、衛生防護手段の外側、半可撓性舌片要素の内側に設置され、且つ後者を超えて伸びており；
マスクは、
半可撓性舌片要素の外側に配置され、半可撓性舌片要素と衛生防護手段との間を封止する構造部分を有する部分と、
衛生防護手段がない場合に、マスクが一旦顔面の定位置に来れば顔面と接触することになる、半可撓性舌片要素の外側部分全体にわたって配置される別の部分と、
マスクが着用される際にマスクの内側の呼吸ガスの圧力の効果によって顔面に押圧されて、防護手段と顔面との間を封止するように設計された第三部分と有し；
構造部分は、半可撓性舌片要素に対して機械的圧力を及ぼし、その値は呼吸ガスの最大圧力の最大値よりも大きく、マウスの内側に行き渡ることができ；
第一、第二及び第三領域は、単層の弾性膜によって形成され；そして
前記構造部分は弾性糸を含む。
【０００８】
本発明は、図面を参照することによって、さらに良く理解されるであろう。
【０００９】
各種の図において、同様の符号は同一又は類似の要素を表示している。
【００１０】
本発明のマスクの第一の典型的な実施形態を図１に示す。
【００１１】
図１において、対象者１（この場合、民間飛行機のパイロットである）は、防護用呼吸マスク２（この場合、迅速取り付けマスクである）を着用している。このマスク２は、口鼻用のフェイスピース１０及び半可撓性舌片要素６を有している。呼吸ガスを運ぶパイプ３は、呼吸ガス源５からマスク２に呼吸ガスを供給する。このパイプ３は、滑らかに口鼻用のフェイスピース１０に連結される。取り外し可能な衛生防護手段４（この場合、フィルターである）は、パイロットによって、例えばパイロットが飛行機で着席した際にマスク２の内側に設置される。これらの衛生防護手段４は、少なくとも２つの主要部分４ａおよび４ｂで構成されている。部分４ａは、吐き出された空気を濾過して、マスクの内側、特にマイクロフォン又は、吸気バルブ８及び／若しくは呼気バルブ９に侵入することによる感染を防止する。部分４ａは、例えば、抗生物質、殺菌性物質又は他の物質を含浸させた紙で作られている。部分４ｂは、例えば、シリコーン又はラテックスなどの可撓性且つ気密性の材料で作られており、そしてマスク２の内側の衛生防護手段４を固定して、この部分４ｂと半可撓性舌片要素６の内側との接触により衛生防護手段４のマスク２との封止を保持するために使用される。必要に応じて、マスク２からのそれらの抜き取りが容易になるように、コード７が衛生防護手段４に固着される。
【００１２】
図２に示される改良型によれば、薄い舌片要素を形成する第三部分４ｃは、部分４ｂを伸長したものであり、半可撓性舌片要素６を超えて数ミリメートル伸びて、マスク２をさらに快適に着用されるものとし、且つ、衛生防護手段４と対象者１の顔面との間の封止状態を改良する。この部分４ｂもまた、例えば、シリコーン又はラテックスで作られるが、部分４ｂよりも薄い。
【００１３】
図３に示される別の改良型によれば、やはり薄い舌片要素を形成している第四部分４ｂは、半可撓性舌片要素６の外表面を少なくとも部分的に覆うように、部分４ｃを伸長したものである。この部分４ｄもまた、衛生防護手段機能をもたらす。また、部分４ｃと同様にシリコーン又はラテックスで作ることができる。
【００１４】
図４に示されるさらに別の改良型によれば、部分４ａは波型形状を有しており、圧力の低下を抑制するため、並びに／又は衛生防護手段４の取り扱い及び／若しくは抜き取りと交換を容易にするために、波型は、マスク２の内側及び／又は吸気バルブ８に実質的に集められる。
【００１５】
本発明のマスクの第二の典型的な実施形態を、図５及び６に示す。
【００１６】
この第二の実施形態によれば、本発明のマスク２は、前記の実施形態のものと同様の口鼻用のフェイスピース、半可撓性舌片要素、及び流動連結手段を有している。図５は、さらに詳細に半可撓性舌片要素６を示し、対象者の顔面に接触することが意図されるその端縁１１は、衛生防護手段４によって覆われている。この端縁は、マスク２の中心且つ内側に向かって戻り、内溝１２を形成している。
【００１７】
図６は主として、半可撓性舌片要素６の端縁１１を表す。衛生防護手段４（この場合、薄膜である）は、
対象者１の皮膚Ｐと半可撓性舌片要素６を絶縁する部分４ｃ、
半可撓性舌片要素６の空洞内にあり、衛生防護手段４がマスク２から外れるのを防ぐ、別の、いわゆる構造部分４ｂ、及び
マスク２の外側に設置され、マスク２の使用時に半可撓性舌片要素６を把持する弾性糸１３が含まれている場合には、衛生防護手段４がマスク２に入り込むのを防ぐ、さらに別の部分４ｂ’を含んでいる。
【００１８】
対象者１の皮膚Ｐと半可撓性舌片要素６を絶縁する部分４ｃは、この半可撓性舌片要素６の周縁全体に設置される。これは、半可撓性舌片要素６の外側部分に設置されるが、場合によってはその内側部分の大部分にわたっても設置される。この部分４ｃは、例えばシリコーン、ラテックス又は繊維若しくは織材料で作られる。
【００１９】
いわゆる構造部分４ｂは、部分４ｃよりも剛性が高い。この構造部分４ｂは、例えば、シリコーン又はラテックスで作られている。これは、半可撓性舌片要素６の内溝１２の内側に合うように設計された形状を有している。これにより、衛生防護手段４が安定に装着され、マスク２が使用されている間に、それらがマスク２から外れるのを防止する。
【００２０】
最後の部分４ｂ’は、場合によっては弾性糸１３を含むものであり、衛生防護手段４の外周辺全体にわたって固定されるが、これは、マスク２が使用されている間に、それらが再度、マスク２に入り込むのを防止することによって、それらを安定に装着され続けるためである。この部分４ｂ’は、例えば、シリコーン又はラテックスで作ることができる。
【００２１】
衛生防護手段４、構造部分４ｂ、及び弾性糸１３を含むアセンブリを、各々の使用後に容易に交換することができるように、この構築では、マスク２、構造部分４ｂ、及び弾性糸１３の弾性歪みが考慮される。
【００２２】
一つの改良型として、衛生防護手段４と半可撓性舌片要素６の内側部分との間に可撓性構造が設置されたものが挙げられる。シリコーン又はラテックスの薄膜のような、この可撓性構造は、例えば、半可撓性舌片要素６を超えて伸びている。この可撓性構造に代えて、またはそれに加えて、薄膜などの他の可撓性構造を、衛生防護手段４の外側、半可撓性舌片要素６の内側、そして後者を超えて伸びるように設置することができる。
【００２３】
本発明のマスクの第三の典型的な実施態様を図７に示す。
【００２４】
これまでに記載した実施態様に関連して、本発明によるマスク２のこの第三の実施態様は、口鼻用フェイスピース、半可撓性舌片要素、及びこれらに類似した流動連結手段を有する。
【００２５】
図７は、さらに詳細に、対象者の顔面に接触することが意図されるその端縁１１が、衛生防護手段４に設けられている半可撓性舌片要素６を示す。この端縁１１は、マスク２の中心且つ内側に向かって反り返り、内溝１２を形成している。
【００２６】
この例において、衛生防護手段４は主として、半可撓性舌片要素６の外側に設置されている。衛生防護手段４は主として、外側で半可撓性舌片要素６を取り囲む薄膜を有している。この薄膜の内在的な弾性によって、半可撓性舌片要素６の周りに容易に設置されることを可能としている。この薄膜は、例えば、シリコーン又はラテックスで作られる。
【００２７】
衛生防護手段４は３つの部分、すなわち、
半可撓性舌片要素６に対して薄膜が引っ張られる部分４ｂ’（この領域は、薄膜に組み込まれた弾性糸１３からなる補強構造によって強化することができ；この特定の構成で薄膜が容易に交換できるようになり、且つ薄膜と半可撓性舌片要素６との間に封止をもたらす圧力ＰＭを生じさせることによって、薄膜が半可撓性舌片要素６の外側にしっかりと押し付けられ；薄膜及び補強構造を含むアセンブリの弾力特性は、及ぼされる圧力ＰＭがマスク２の内側に含まれる空気の相対圧力ＰＡよりも大きくなるが、半可撓性舌片要素６を著しく歪めることは回避されるよう大きくなりすぎなることのないように選択される）；
皮膚Ｐと衛生防護をもたらす半可撓性舌片要素６との間に設置される部分４ｃ；並びに、半可撓性舌片要素６を超えて伸びる部分４ｄ（この部分は非常に可撓性が高く、皮膚Ｐの輪郭及びその中にある何れの皺にも追随するように用いられ、その結果、皮膚Ｐと薄膜との間を封止する）；を有している。
【００２８】
この薄膜は従って、従来技術のマスクよりもより優れた良好な封止をする。
【００２９】
前記の衛生防護手段は特に経済的であり、それらの使用と、それらの定期的な交換の費用が少なくてすむ。
【００３０】
衛生防護手段は、封止され、滅菌済、且つ場合によっては透明なプラスチックバッグの中に保存することができ、消毒用の拭布を有していてもよい。従って、パイロットは、飛行の前にマスクを準備している際、マスクボックス内のマスクを交換する前に、マスクの舌片及び面頬を清潔にすることができる。
【図面の簡単な説明】
【００３１】
【図１】対象者によって着用された、本発明のマスクの第一の実施態様の一例を含む呼吸装置の縦断面を模式的に示す図である。
【図２】図１の実施態様の改良型の詳細を、図１のものと同様の断面によって模式的に示す図である。
【図３】図１の実施態様の別の改良型の詳細を、図１及び２のものと同様の断面によって模式的に示す図である。
【図４】図１の実施態様のさらに別の改良型の詳細を、図１、２及び３のものと同様の断面によって模式的に示す図である。
【図５】本発明のマスクの第二の実施態様の一例を、立面にて模式的に示す図である。
【図６】図５の実施態様の詳細を、図５の平面ＶＩ−ＶＩにおける断面によって模式的に示す図である。
【図７】対象者によって着用された、本発明のマスクの第三の実施態様の一例を、横断面にて模式的に示す図である。
【符号の説明】
【００３２】
１    対象者
２    マスク
３    パイプ
４    衛生防護手段
５    呼吸ガス源
６    半可撓性舌片要素
７    コード
８    吸気
９    呼気
１０    フェイスピース
１１    端縁
１２    内溝
１３    弾性糸
【図１】
2006528042.tif 000003
【図２】
2006528042.tif 000004
【図３】
2006528042.tif 000005
【図４】
2006528042.tif 000006
【図５】
2006528042.tif 000007
【図６】
2006528042.tif 000008
【図７】
2006528042.tif 000009
【国際調査報告】
2006528042.tif 000010
2006528042.tif 000011
2006528042.tif 000012
2006528042.tif 000013
2006528042.tif 000014
2006528042.tif 000015